(57)【要約】【課題】朝夕の入退混雑時には仮設し、また朝夕の入退混雑時以外は、仮設を解消して邪魔にならない位置に移動させて通行車両等に支障を来たさずに入退管理のスループットを確保できるようにするカードリーダ搭載ポール装置を提供する。【解決手段】入退場が多く見込まれる時間帯に埋め込み用パイプ２５を地中に囲凝された基礎埋め込みパイプに挿通してカードリーダ搭載ポール装置を仮設する。そして、該時間帯外は仮設を解消し、基礎埋め込みパイプに蓋をして通行の支障にならないようにする。非接触ＩＣカードリーダ１１は、図示していない非接触ＩＣカードの情報を読み取って入退場の管理を行なう装置（図示せず）に読み取った情報を送信する。支柱２０の下方には底板３０が設けられ、仮設時に底板３０は基礎埋め込みパイプを地中に囲凝する際に構成される嵌合凹部に嵌合されて、非接触ＩＣカードの情報読み取りの際に起こる外力による変位を防止する。【選択図】図１
2010166340.tif 000002
【特許請求の範囲】
【請求項１】
非接触ＩＣカードの情報をカードリーダで読み取って入退場の管理を行なう装置に用いられ、入退場が多く見込まれる時間帯に仮設し、該時間帯外は仮設を解消して移動させるカードリーダ搭載ポール装置であって、該カードリーダ搭載ポール装置は、
支柱となるパイプの先端に、側面を除く各面に所定の孔が穿けられた四角柱状のカードリーダ装着部が取り付けられ、該四角柱状のカードリーダ装着部は、正面を一部傾斜させ該傾斜させた面に非接触ＩＣカードリーダを装着する第１の孔と、上面に警告灯を装着する第２の孔と、底板に配線を通す第３の孔と、背面に各種作業のための第４の孔を備え、
前記支柱の下方にあって該支柱の外周面に固着させて該支柱の底面部を構成する底板と、
該底板の下側で前記支柱から延設され、基礎埋め込みパイプに挿通される埋め込み用パイプと、
フランジを地上側に有するとともに前記埋め込み用パイプの外径より僅かに大きい内径を有するパイプからなる基礎埋め込みパイプと、
地上側にあって前記支柱の前記底板と嵌合する嵌合凹部を有し、地中で前記基礎埋め込みパイプを囲凝する基礎埋め込みパイプ固定部と、
を備えて構成されることを特徴とするカードリーダ搭載ポール装置。
【請求項２】
前記非接触ＩＣカードリーダは、前記第１の孔の内部にあって前記四角柱状のカードリーダ装着部の側面に固着された止め板に取り付けられることを特徴とする請求項１に記載のカードリーダ搭載ポール装置。
【請求項３】
前記底板は、鋼板からなり、該鋼板は正方に形成されるとともに前記底板が前記基礎埋め込みパイプ固定部の嵌合凹部に嵌合するよう構成したことを特徴とする請求項１に記載のカードリーダ搭載ポール装置。
【請求項４】
前記底板の厚みと前記基礎埋め込みパイプ固定部の嵌合凹部の厚みを同一にしたことを特徴とする請求項１に記載のカードリーダ搭載ポール装置。
【請求項５】
前記基礎埋め込みパイプと前記埋め込み用パイプの長さを同一としたことを特徴とする請求項１に記載のカードリーダ搭載ポール装置。
【請求項６】
前記基礎埋め込みパイプ固定部の前記嵌合凹部に嵌合する蓋であって、該蓋の中央部に穿設した孔に挿通され両端に鍔が設けられたプッシュプル型把持部を有するカードリーダ搭載ポール装置用蓋。
【請求項７】
前記プッシュプル型把持部を把持して前記蓋を移動させる際は、前記プッシュプル型把持部の地上側の鍔の外周に取付けた吊り金具で前記プッシュプル型把持部を所定長さだけ引き出して把持することを特徴とする請求項６に記載のカードリーダ搭載ポール装置用蓋。
【請求項８】
前記プッシュプル型把持部を把持した状態で前記蓋を前記基礎埋め込みパイプ固定部の前記嵌合凹部に嵌合させたときは、前記プッシュプル型把持部の自重により前記基礎埋め込みパイプ内に落下するよう構成したことを特徴とする請求項６に記載のカードリーダ搭載ポール装置用蓋。
【請求項９】
前記蓋は、前記基礎埋め込みパイプ固定部の嵌合凹部の厚みと同じ厚みの縞鋼板からなることを特徴とする請求項６乃至８のいずれか１項に記載のカードリーダ搭載ポール装置用蓋。
【発明の詳細な説明】
【技術分野】
【０００１】
本発明は、非接触ＩＣカードの情報を読み取るカードリーダ搭載ポール装置に関する。
【背景技術】
【０００２】
従来、たとえば、下記特許文献１に開示されているような、移動体の貨物に搭載されたＲＦタグとの間で通信を可能とする通信アンテナを内蔵し、当該移動体を検知する複数の移動体検知センサを備えるアンテナ内蔵ポールが知られている。
【０００３】
また従来、通用門などの傍らに固定的に設置して非接触ＩＣカードの情報を読み取るカードリーダ搭載ポール装置も知られている。
【先行技術文献】
【特許文献】
【０００４】
【特許文献１】特開２００７−３１８２４８号公報（図１０）
【発明の概要】
【発明が解決しようとする課題】
【０００５】
特許文献１に開示されているアンテナ内蔵ポールは、アンテナ内蔵ポールの最下部に外に突出した鍔状突出物があり、これが通行の邪魔になると共に設置されたアンテナ内蔵ポールは常設で使用され、それが移動可能であるということについてはいっさい言及がない。
【０００６】
また上記従来の、通用門などの傍らに固定的に設置して非接触ＩＣカードの情報を読み取るカードリーダ搭載ポール装置では、一旦設置してしまうと通行車両等に支障を来たすという問題があった。この固定的に設置するタイプのカードリーダ搭載ポール装置で車両等の通行の妨げにならないようにするには、ゲートの幅に余裕を持たせなければならず、さりとてゲートの幅に余裕を持たせれば、非接触ＩＣカードを所持する通行希望者がカード読み取り装置までの移動を余儀なくされ却って渋滞を招くこととなり、この種の固定式カードリーダ搭載ポール装置の導入を躊躇させる原因を作っていた。
【０００７】
そこで本発明は、朝夕の入退混雑時には仮設し、また朝夕の入退混雑時以外は、仮設を解消して邪魔にならない位置に移動させて通行車両等に支障を来たさずに入退管理のスループットを確保できるようにするカードリーダ搭載ポール装置を提供することを目的とする。
【課題を解決するための手段】
【０００８】
上記課題を解決するために本発明は、非接触ＩＣカードの情報をカードリーダで読み取って入退場の管理を行なう装置に用いられ、入退場が多く見込まれる時間帯に仮設し、該時間帯外は仮設を解消して移動させるカードリーダ搭載ポール装置であって、該カードリーダ搭載ポール装置は、支柱となるパイプの先端に、側面を除く各面に所定の孔が穿けられた四角柱状のカードリーダ装着部が取り付けられ、該四角柱状のカードリーダ装着部は、正面を一部傾斜させ該傾斜させた面に非接触ＩＣカードリーダを装着する第１の孔と、上面に警告灯を装着する第２の孔と、底板に配線を通す第３の孔と、背面に各種作業のための第４の孔を備え、前記支柱の下方にあって該支柱の外周面に固着させて該支柱の底面部を構成する底板と、該底板の下側で前記支柱から延設され、基礎埋め込みパイプに挿通される埋め込み用パイプと、フランジを地上側に有するとともに前記埋め込み用パイプの外径より僅かに大きい内径を有するパイプからなる基礎埋め込みパイプと、地上側にあって前記支柱の前記底板と嵌合する嵌合凹部を有し、地中で前記基礎埋め込みパイプを囲凝する基礎埋め込みパイプ固定部と、を備えて構成されることを特徴とする。
【発明の効果】
【０００９】
本発明によれば、朝夕の入退混雑時には仮設し、また朝夕の入退混雑時以外は、仮設を解消して通行の邪魔にならない位置に移動させて通行車両等に支障を来たさずに入退管理のスループットを確保できる。また、仮設した場合には、支柱の外周面に固着させた底板に嵌合する嵌合凹部を有する基礎埋め込みパイプ固定部を備えるので、読み取りの際にたとえ非接触ＩＣカードリーダに外力が掛かったとしても回転することがなく所定位置を維持し、外力による変位によって読み取り不可能となる事態を回避できる。
【図面の簡単な説明】
【００１０】
【図１】本発明の実施形態にかかるカードリーダ搭載ポール装置の一方の構成を示すもので、仮設する前の状態を示す斜視図である。
【図２】本発明の実施形態にかかるカードリーダ搭載ポール装置の一方の構成を示す、（ａ）正面図、（ｂ）右側面図、（ｃ）背面図である。
【図３】本発明の実施形態にかかるカードリーダ搭載ポール装置のもう一方の構成を示す基礎埋め込みパイプの構造を示す斜視図である。
【図４】本発明の実施形態にかかる基礎埋め込みパイプ固定部を地中に埋設した様子を示す斜視図である。
【図５】本発明の実施形態にかかるカードリーダ搭載ポール装置用蓋の構成を示す斜視図である。
【発明を実施するための形態】
【００１１】
以下、本発明の実施の形態について、詳細に説明する。
図１は、本発明の実施形態にかかるカードリーダ搭載ポール装置の一方の構成を示すもので、仮設する前の状態を示す斜視図である。
【００１２】
図１において、カードリーダ搭載ポール装置は、入退場が多く見込まれる時間帯に埋め込み用パイプ２５を図３に示す基礎埋め込みパイプ４０に挿通して仮設される。そして、該時間帯外は仮設を解消して、通行の支障にならない別の場所に設置されている基礎埋め込みパイプに挿通して保管する。また非接触ＩＣカードリーダ１１は、図示していない非接触ＩＣカードの情報を読み取って入退場の管理を行なう装置（図示せず）に読み取った情報を送信する。支柱２０の先端には、側面を除く各面に所定の孔が穿けられた四角柱状のカードリーダ装着部１０が設けられる。四角柱状のカードリーダ装着部１０は、正面を一部傾斜させ該傾斜させた面に非接触ＩＣカードリーダ１１を装着する第１の孔１７と、上面に警告灯(パトライト)１２を装着する第２の孔１３と、底板１５に配線（図示せず）を通す第３の孔１４と、背面に各種作業のための第４の孔１６を備えている。なお、支柱２０の先端へのカードリーダ装着部１０の取付けは、支柱２０の先端部を該先端部のために刳り貫かれた底板１５に溶接等により固着して取り付ける。
【００１３】
支柱２０の下方には、支柱２０の外周面に溶接等により固着された底板３０を有し、底板３０は、矩形の鋼板から成る。溶接等による固着のため、底板３０は支柱２０を通すために刳り貫かれる。また底板３０の下側は、埋め込み用パイプ２５として支柱２０から延設されたものであり、埋め込み用パイプ２５は、基礎埋め込みパイプ４０（図３参照）に挿通される。基礎埋め込みパイプ４０に挿通されると支柱２０の底板３０の表面は地表と同じ面を構成して凹凸が生じない。なお、底板１５および支柱２０は、ステンレス（ＳＵＳ３０４）により製作される。
【００１４】
図２は、本発明の実施形態にかかるカードリーダ搭載ポール装置の一方の構成を示すもので、（ａ）正面図、（ｂ）右側面図、（ｃ）背面図であって、非接触ＩＣカードリーダおよび警告灯(パトライト)などの後から取り付ける機器は外されている状態を示すものである。
【００１５】
図２（ａ）は、四角柱状のカードリーダ装着部１０を正面から見たもので、一部傾斜させた面に非接触ＩＣカードリーダ１１を装着する第１の孔１７と、その奥に、円形の孔が穿けられた止め板１８が設けられている。非接触ＩＣカードリーダ１１は、第１の孔１７を通過して止め板１８に装着される。非接触ＩＣカードリーダ１１の電気配線部（図示せず）は止め板１８の円形の孔を介して四角柱状のカードリーダ装着部１０内のコネクタ（図示せず）に接続され、該コネクタはケーブル配線（図示せず）を経て入退場の管理を行なう装置（図示せず）に接続される。
【００１６】
図２（ｂ）は、四角柱状のカードリーダ装着部１０を右側面から見たもので、四角柱状のカードリーダ装着部１０の第１の孔１７の奥に止め板１８が第１の孔１７がある正面傾斜部と同じ傾斜で取り付けられる。また、四角柱状のカードリーダ装着部１０の上面に警告灯（パトライト）１２を装着する第２の孔１３、底板１５に配線を通す第３の孔１４、および各種作業のための背面に設けられた第４の孔１６の位置関係が分かるように示されている。
【００１７】
図２（ｃ）は、四角柱状のカードリーダ装着部１０を背面から見たもので、四角柱状のカードリーダ装着部１０内における第４の孔１６を経ての各種作業が終了した後に第４の孔１６を塞ぐビス取付け位置が示されている。
【００１８】
図３は、本発明の実施形態にかかるカードリーダ搭載ポール装置のもう一方の構成を示す基礎埋め込みパイプの構造を示す斜視図である。図３において、カードリーダ搭載ポール装置の構成要素である基礎埋め込みパイプ４０は、フランジ４５を地上側に有する。また基礎埋め込みパイプ４０は、埋め込み用パイプ２５（図１及び図２参照）の外径より僅かに大きい内径寸法を有し、埋め込み用パイプ２５を僅かな隙間をもって内径内に収納するよう構成する。また基礎埋め込みパイプ４０のパイプ長と埋め込み用パイプ２５のパイプ長とを同一となるよう構成している。
【００１９】
図４は、本発明の実施形態にかかる基礎埋め込みパイプ固定部を地中に埋設した様子を示す斜視図である。図４において、基礎埋め込みパイプ固定部５０は、基礎埋め込みパイプ４０を地中にあって固定するもので、基礎埋め込みパイプ固定部５０は、コンクリートなどにより基礎埋め込みパイプ４０を囲凝し、埋め込まれた状態では基礎埋め込みパイプ４０のフランジ４５と嵌合凹部５５とが平坦になるようにされる。また嵌合凹部５５の形状は、底板３０の形状と同じで、正方形などの矩形にされ、また厚みも同じにされる。このように底板３０の形状と嵌合凹部５５の形状とを同じにして嵌合させているため、読み取りの際にたとえ非接触ＩＣカードリーダに外力（回転力）が掛かったとしても回転することはなく所定位置を維持し、外力による変位によって読み取り不可能となる事態を回避できる。
【００２０】
図５は、本発明の実施形態にかかるカードリーダ搭載ポール装置用蓋の構成を示す斜視図である。図５において、カードリーダ搭載ポール装置用蓋６０は、縞鋼板で製作され、蓋６０の厚みは基礎埋め込みパイプ固定部５０の嵌合凹部５５の厚みと同じにされ、かつ蓋６０の形状は、支柱２０の下部に固着された底板３０及び基礎埋め込みパイプ固定部５０の嵌合凹部５５と同一の形状、すなわち正方形などの矩形にされ、蓋をしたときに嵌合凹部５５に嵌合するよう構成される。
【００２１】
つまりカードリーダ搭載ポール装置は朝夕の入退混雑時には仮設し、また朝夕の入退混雑時以外は仮設を解消させているため、カードリーダ搭載ポール装置の仮設を解消させた場合に、蓋６０により図４に示す基礎埋め込みパイプ固定部５０の嵌合凹部５５の表面を覆う。つまり蓋６０を嵌合凹部５５に嵌合させることで車両が蓋６０の上を通過しても嵌合凹部５５の形状が破壊されるのを防止することができる。
【００２２】
またカードリーダ搭載ポール装置を仮設する場合には、嵌合凹部５５の表面を覆う蓋６０の吊り金具６４を引っ張りだしてプッシュプル型把持部６２を取り出し、所定長さだけ取り出したプッシュプル型把持部６２を掴んで嵌合凹部５５から蓋６０を取り外し安全な場所に移動して保管する。また蓋をするときも保管場所にある蓋６０のプッシュプル型把持部６２を掴んで保管場所から蓋６０を取り出し、基礎埋め込みパイプ固定部５０の嵌合凹部５５の所定位置に置いて嵌合させる。所定位置に置き嵌合させてプッシュプル型把持部６２を放すと、プッシュプル型把持部６２の自重によりプッシュプル型把持部６２は基礎埋め込みパイプ固定部５０により囲凝された基礎埋め込みパイプ４０の内径に落下して吊り金具６４を含む鍔部が蓋６０の表面で平坦に成る。これにより上述したように車両が蓋６０の上を支障を来たさずに通過できるようする。
【符号の説明】
【００２３】
１０  カードリーダ装着部
１１  非接触ＩＣカードリーダ
１２  パトライト(警告灯)
１３  第２の孔
１４  第３の孔
１５  底板
１６  第４の孔
１７  第１の孔
１８  止め板
２０  支柱（パイプ）
２５  埋め込み用パイプ
３０  底板
４０  基礎埋め込みパイプ
４５  フランジ
５０  基礎埋め込みパイプ固定部
５５  嵌合凹部
６０  蓋(縞鋼板)
６２  プッシュプル型把持部
６４  吊り金具
【図１】
2010166340.tif 000003
【図２】
2010166340.tif 000004
【図３】
2010166340.tif 000005
【図４】
2010166340.tif 000006
【図５】
2010166340.tif 000007